(57)【要約】【課題】点光源からの光を均一な照度分布の光として戴置面から発光し、戴置物を照明する照明付き飾り台を提供すること。【解決手段】本発明の照明付き飾り台１は、外枠開口３を有する外枠２と、点光源９と、開口を有し、内壁面が反射部材で形成された箱型のケーシング１０と、光導通反射板１１とからなる光源装置５と、光導通反射板１１と所定の隙間をあけて配置され、周囲が外枠開口３の縁部で固定された所定の板厚を有する戴置板４と、を有し、光導通反射板１１は点光源９に対向する位置に中央光導通反射部、その周囲に外方光導通反射部を有し、中央光導通反射部及び外方光導通反射部は高反射率及び低透過率に形成され、外方光導通反射部には複数の開口が形成され、前記複数の開口の大きさ又はスリットの幅及び長さは光導通反射部外方へ離れるにしたがって大きくされている。【選択図】図２
2012230793.tif 000002
【特許請求の範囲】
【請求項１】
開口を有し、内部に光源装置を収容する外枠と、
前記外枠内部に収容された、点光源が底部の中央に固定され、前記底部の周縁から側壁部が所定の高さ立設されて、前記点光源と対向する側に開口を有し、内壁面が反射部材で形成された箱型のケーシングと、前記ケーシングの開口を覆い、周囲が前記ケーシングの開口の縁部で固定された光導通反射板を有する光源装置と、
前記外枠の開口を覆い、前記光導通反射板と所定の隙間をあけて配置され、周囲が前記外枠の開口の縁部で固定された所定の板厚を有する光拡散板からなる戴置板と、を有する照明付き飾り台において、
前記光導通反射板は前記点光源に対向する位置に中央光導通反射部及び前記中央光導通反射部の周囲に外方光導通反射部を有し、前記中央光導通反射部及び前記外方光導通反射部は高反射率及び低透過率に形成され、前記外方光導通反射部には複数の開口が形成され、前記複数の開口の大きさ又はスリットの幅及び長さは光導通部外方へ離れるにしたがって大きくされていることを特徴とする照明付き飾り台。
【請求項２】
前記光導通反射板は超微細発泡光反射部材で形成されていることを特徴とする請求項１に記載の照明付き飾り台。
【請求項３】
前記点光源は発光ダイオード又はレーザーダイオードであることを特徴とする請求項１に記載の照明付き飾り台。
【請求項４】
前記側壁部が前記底部に対して外方に所定の角度をもって立設されていることを特徴とする請求項１に記載の照明付き飾り台。
【請求項５】
前記外枠の側面が所定の光透過率及び光拡散率を有する光拡散板で形成されていることを特徴とする請求項１に記載の照明付き飾り台。
【請求項６】
前記外枠に、透明な部材で形成され、前記外枠に開口を有し、側面及び開口と対向する面が閉塞され、内部に空間を有する取付自在なカバーを設けたことを特徴とする請求項１に記載の照明付き飾り台。
【請求項７】
前記カバーの前記開口と対向する面に、第２の点光源が天井部の中央に固定され、前記天井部の周縁から側壁部が所定の高さ立設されて、前記点光源と対向する側に開口を有し、内壁面が反射部材で形成された箱型のケーシングと、前記第２のケーシングの開口を覆い、周囲が前記ケーシングの開口の縁部で固定された光導通反射板を有する第２の光源装置を設けたことを特徴とする請求項６に記載の照明付き飾り台。
【請求項８】
前記点光源の点灯状態を制御する制御装置を有し、前記光拡散板の裏側に透明材料で形成された薄膜形ひずみ検出用抵抗が形成され、前記制御装置は前記薄膜形ひずみ検出用抵抗によりひずみが検出されると前記点光源を点灯状態とするよう制御することを特徴とする請求項１〜５のいずれかに記載の照明付き飾り台。
【請求項９】
前記点光源の点灯状態を制御する制御装置を有し、前記光拡散板と前記光導通反射板との間に容量変化検出用透明電極が形成され、前記制御装置は前記容量変化検出用透明電極により容量変化が検出されると前記点光源を点灯状態とするよう制御することを特徴とする請求項１〜５のいずれかに記載の照明付き飾り台。
【請求項１０】
前記点光源の点灯状態を制御する制御装置を有し、前記外枠の表面に散乱光検出器が形成され、前記制御装置は前記散乱光検出器により散乱光強度の変化が検出されると前記点光源を点灯状態とするよう制御することを特徴とする請求項１〜５のいずれかに記載の照明付き飾り台。
【発明の詳細な説明】
【技術分野】
【０００１】
本発明は、照明付き飾り台に関し、さらに詳しくは、指向性の強い点光源を内蔵して、この点光源からの光を均一な照度分布の光として戴置面から発光し、戴置物を照明する照明付き飾り台に関する。
【背景技術】
【０００２】
従来から、商品の展示や飲食店等において、商品やグラス等を戴置する台やコースター等に光源を内蔵し、戴置物を照明し、展示効果を高めることが行われてきた。これらの台やコースターに内蔵する光源としては、発光ダイオード（以下、「ＬＥＤ」という）が主に用いられている。
【０００３】
例えば、下記特許文献１には、載置物が載置される載置面を有する基台と、前記基台に設けられ、前記載置面上の載置物を装飾するための光を発する少なくとも１つのＬＥＤと、前記基台に設けられ、前記ＬＥＤを発光させるための電気回路とを具備し、前記電気回路は、基台の裏面に支点を介して片持ち支持されたスイッチを備え、前記スイッチは、載置物が基台の載置面上に載置されると、その重みで前記支点を中心に変位して電気回路を閉じ、ＬＥＤを発光させることを特徴とする戴置台が開示されている。この載置台によれば、単に載置物を載置面上に載せるという簡単な構成でありながら、載置物を下からの光によって直接的に装飾することができるという効果を奏する。また、載置物がいずれの位置に載置されても基台の裏面にあるスイッチがその荷重を受けることができるため、安定にスイッチのＯＮ／ＯＦＦができるようになっている。
【０００４】
また、下記特許文献２には、板上に設置された展示物に対するライトアップを行い、別にライトアップ用の光源を設置する必要がなく、速やかに有効で便利な展示効果を提供することのできる展示用台が開示されている。この展示用台においては、透明プラスチック或いはガラスで形成された板或いは積層板の底部に嵌め溝が凹設され、嵌め溝内に所定数量のＬＥＤの回路基板が嵌設され、ＬＥＤが発生する光束が透明プラスチック或いはガラスの板或いは積層板の上部に設けられた比較的薄い円弧形或いは環状円弧形浅溝を透過し、且つ円弧面の集光作用を受けて、台の上に置かれた展示物をライトアップするものとなっている。
【先行技術文献】
【特許文献】
【０００５】
【特許文献１】特開２００１−１２０４１６号公報
【特許文献２】実用新案登録第３１１２８２９号公報
【特許文献３】特開２００８−０２７８８６号公報
【発明の概要】
【発明が解決しようとする課題】
【０００６】
上記特許文献１に開示されている戴置台等においては、展示台の中央に配置された指向性の強いＬＥＤからの光が、その直上に設けられた透過部あるいはレンズを通して照射され、周辺部からは光が照射されない。このため、透明なグラスやクリスタル等を照明するには好適であるが、光を透過しない物品を戴置しても、十分な照明効果を得ることができなかった。また、ＬＥＤが中央にしか配置されていないため、戴置台を大型化したとしても、照明範囲を拡大することができなかった。
【０００７】
また、上記特許文献２に開示されている展示用台は、複数のＬＥＤを使用しているため、台周辺部からも光が照射されるが、ＬＥＤの光は指向性が強いことから、展示用台の表面全面から均一な照明光を得ることはできなかった。
【０００８】
一方、本発明の出願人は、これまでに点光源を用いて、一定の面積の均一な照明光を得られる照明装置を得るため、上記特許文献３に開示されているような点光源を用いた面照明光源装置及び面照明装置を考案している。この面照明装置は、指向性の強い発光源と、発光源の放射方向に放射面を有する導光体と、前記発光源に囲設されると共に前記導光体の放射面以外の面を閉鎖するケーシングとによって構成される面照明光源装置において、前記ケーシングと前記導光体の間の全体に設けられた内側反射手段と、前記放射面に設けられ、前記発光源からの光を所定の割合で反射させる放射側反射手段とを具備することにより、指向性の強い光源を用いても、ＬＥＤの放射方向の厚みを増大させることなく広い面積で均一な照明光を得ることができるという優れた効果を奏する。しかし、この面照明装置光源装置は、天井面あるいは壁面への設置を目的とした照明装置に用いるものであり、また広い面積を多数の光源装置を連接して照明することを意図したものであるため、そのままでは小型の物品を照明し、戴置する台として使用することが困難であった。
【０００９】
そこで、本発明においては、指向性の強い点光源を内蔵して、この点光源からの光を均一な照度分布の光として戴置面から発光し、戴置物を照明する照明付き飾り台を提供することを目的とする。
【課題を解決するための手段】
【００１０】
上記の課題を解決するため、本発明の照明付き飾り台は、開口を有し、内部に光源装置を収容する外枠と、前記外枠内部に収容された、点光源が底部の中央に固定され、前記底部の周縁から側壁部が所定の高さ立設されて、前記点光源と対向する側に開口を有し、内壁面が反射部材で形成された箱型のケーシングと、前記ケーシングの開口を覆い、周囲が前記ケーシングの開口の縁部で固定された光導通反射板を有する光源装置と、前記外枠の開口を覆い、前記光導通反射板と所定の隙間をあけて配置され、周囲が前記外枠の開口の縁部で固定された所定の板厚を有する光拡散板からなる戴置板と、を有する照明付き飾り台において、前記光導通反射板は前記点光源に対向する位置に中央光導通反射部及び前記中央光導通反射部の周囲に外方光導通反射部を有し、前記中央光導通反射部及び前記外方光導通反射部は高反射率及び低透過率に形成され、前記外方光導通反射部には複数の開口が形成され、前記複数の開口の大きさ又はスリットの幅及び長さは光導通部外方へ離れるにしたがって大きくされていることを特徴とする。
【００１１】
本発明の照明付き飾り台では、点光源からの指向性が強い光は、中央光導通反射部から外方光導通反射部へとケーシングとの間で反射を繰り返して進行するため、中央光導通反射部から外方へ離れるにしたがって光強度が弱くなる。本発明の照明付き飾り台によれば、外方光導通反射部の開孔の大きさ又はスリットの幅及び長さは中央光導通反射部から外方へ離れるにしたがって徐々に大きくされているため、中央光導通反射部から外方へ離れるにしたがって光導通部を通って出射される光の量が多くなるので、より均一な照度分布の照明光が得られるようになる。
【００１２】
なお、前記光導通部の開孔の形状は、円形、楕円形、多角形、星形等任意の形状のものを採用することができ、多角形の場合には正多角形だけでなく、正多角形以外の多角形でも構わない。また、本発明の照明付き飾り台においては、光導通反射板が剥き出しのままであっても、上述の所定の作用・効果を奏することができるが、光散乱作用を有する拡散板を用いることによって、より均一な照度分布の照明光を得ることができ、より光ムラの少ない外観を得ることができる。なお、ケーシング及び拡散板は、戴置物の重量を支えてケーシング及び光導通反射板を保護し、これらの重量による過度の変形を防ぐことができる所定の強度を有しているものを使用すればよい。
【００１３】
本発明の照明付き飾り台においては、前記光導通反射板は超微細発泡光反射部材で形成されていることが好ましい。
【００１４】
超微細発泡光反射部材は、例えばプラスチック材料に光散乱粒子を分散させた場合と比すると、全ての方向により均質な散乱光を得ることができる。そのため、本発明の照明付き飾り台によれば、より均一な照度分布の照明光が得られるようになる。さらに、超微細発泡光反射部材は、軽量であることから、照明付き飾り台が大型化しても、重量を抑えることができる。
【００１５】
本発明の照明付き飾り台においては、前記点光源は発光ダイオード又はレーザーダイオードであることが好ましい。
【００１６】
ＬＥＤ及びレーザーダイオード（以下、ＬＤという）共に、指向性が強く、発光強度が強い周知の点光源である。そのため、本発明の照明付き飾り台によれば、サイズが大きくても明るい照明付き飾り台が得られる。
【００１７】
本発明の照明付き飾り台においては、前記側壁部が前記底部に対して外方に所定の角度をもって立設されていることが好ましい。
【００１８】
本発明の照明付き飾り台においては、側壁部が底部に対して外方に所定の角度をもって立設されているため、点光源からの出射光を光導通反射板に対してより効率よく反射させることができ、また光導通反射板の周辺部から出射する光が多くなる。さらに、外枠とケーシング側壁部の底部側の間に生じる間隙に電池等の部品を配設することにより、照明付き飾り台をより薄型にすることができる。
【００１９】
また、本発明の照明付き飾り台においては、前記外枠の側面が所定の光透過率及び光拡散率を有する光拡散板で形成されていることが好ましい。
【００２０】
本発明の照明付き飾り台によると、外枠の側面を光拡散板で形成することにより、光源装置から照射される光が外枠の上部を透過及び拡散することにより、照明付き飾り台の光照射面（戴置面）において、外枠と接する部分が暗くなることがない。これにより、照明付き飾り台の光照射面の全面が発光することが可能となる。
【００２１】
また、本発明の照明付き飾り台においては、前記外枠に、透明な部材で形成され、前記外枠に開口を有し、側面及び開口と対向する面が閉塞され、内部に空間を有する取付自在なカバーを設けてもよい。
【００２２】
本発明の照明付き飾り台によると、外枠にカバーを設けることにより、戴置板及びそこに戴置される戴置物に埃などが付着することを防ぐことができる。
【００２３】
また、本発明の照明付き飾り台においては、前記カバーの前記開口と対向する面に、第２の点光源が天井部の中央に固定され、前記天井部の周縁から側壁部が所定の高さ立設されて、前記点光源と対向する側に開口を有し、内壁面が反射部材で形成された箱型のケーシングと、前記第２のケーシングの開口を覆い、周囲が前記ケーシングの開口の縁部で固定された光導通反射板を有する第２の光源装置を設けてもよい。
【００２４】
本発明の照明付き飾り台によると、カバーの上部にも光源装置を設けることにより、戴置物を戴置面のみならずその上方からも照明することができ、より照明効果を高めることができる。
【００２５】
本発明の照明付き飾り台においては、前記点光源の点灯状態を制御する制御装置を有し、前記光拡散板の裏側に透明材料で形成された薄膜形ひずみ検出用抵抗が形成され、前記制御装置は前記薄膜形ひずみ検出用抵抗によりひずみが検出されると前記点光源を点灯状態とするよう制御するようになすことが好ましい。
【００２６】
本発明の照明付き飾り台によれば、光拡散板の光透過性能を低下させることなく、戴置物が光拡散板上に戴置された場合に光拡散板のひずみを検出することによって、自動的に点光源の点灯状態のＯＮ，ＯＦＦの切り替えを行うことができるようになる。
【００２７】
本発明の照明付き飾り台においては、前記点光源の点灯状態を制御する制御装置を有し、前記光拡散板と前記光導通反射板との間に容量変化検出用透明電極が形成され、前記制御装置は前記容量変化検出用透明電極により容量変化が検出されると前記点光源を点灯状態とするよう制御することが好ましい。
【００２８】
本発明の照明付き飾り台によれば、光拡散板の光透過性能を低下させることなく、戴置物が光拡散板上に戴置された場合に容量変化を検出することによって、自動的に点光源の点灯状態のＯＮ，ＯＦＦの切り替えを行うことができるようになる。
【００２９】
本発明の照明付き飾り台においては、前記点光源の点灯状態を制御する制御装置を有し、前記外枠の表面に散乱光検出器が形成され、前記制御装置は前記散乱光検出器により散乱光強度の変化が検出されると前記点光源を点灯状態とするよう制御することが好ましい。
【００３０】
本発明の照明付き飾り台によれば、戴置物が戴置された状態と戴置されていない状態とでの散乱光強度の差を検出し、自動的に点光源の点灯状態のＯＮ，ＯＦＦの切り替えを行うことができるようになる。
【図面の簡単な説明】
【００３１】
【図１】本発明の第１の実施形態に係る戴置台の斜視図である。
【図２】図１の照明付き飾り台の分解斜視図である。
【図３】図１の照明付き飾り台の光導通反射板の平面図である。
【図４】図１のIV−IV線における断面図である。
【図５】図５Ａは本発明の第２の実施形態に係る照明付き飾り台の斜視図であり、図５Ｂは図５ＡのＶＢ−ＶＢ線における断面図である。
【図６】図６Ａは本発明の第３の実施形態に係る照明付き飾り台の斜視図であり、図６Ｂは図６ＡのVIＢ−VIＢ線における断面図である。
【図７】図７Ａは本発明の第４の実施形態に係る照明付き飾り台の斜視図であり、図７Ｂは図７ＡのVIIＢ−VIIＢ線における断面図である。
【図８】図８Ａは本発明の第５の実施形態に係る照明付き飾り台の斜視図であり、図８Ｂは図８ＡのVIIIＢ−VIIIＢ線における断面図である。
【発明を実施するための形態】
【００３２】
以下、図面を参照して本発明の実施形態を説明する。但し、以下に示す実施形態は、本発明の技術思想を具体化するための照明付き飾り台を例示するものであって、本発明をこれらの照明付き飾り台に特定することを意図するものではなく、特許請求の範囲に含まれるその他の実施形態のものにも等しく適応し得るものである。
【００３３】
［第１の実施形態］
本発明の第１の実施形態に係る照明付き飾り台について、図１〜図５を用いて説明する。なお、図１は本発明の第１の実施形態に係る照明付き飾り台の斜視図、図２は図１の照明付き飾り台の分解斜視図、図３は図１の照明付き飾り台の光導通反射板の平面図、図４は図１のIV−IV線における断面図である。
【００３４】
照明付き飾り台１は、図１〜図３に示すように、外枠２と、外枠開口３を覆う戴置板４と、外枠２の内部に設置された光源装置５を備えている。
【００３５】
外枠２は、戴置物の重量に応じた強度を有し、光透過性の低いプラスチックなどで形成されており、有底の浅い箱型で、上部に外枠開口３を有し、内部には光源装置５と電池６（図４、図５Ｂ参照）のほか、不図示の配線基板、制御装置等を内蔵している。本発明の照明付き飾り台１の電源としては、電池６のほか外部電源を用いてもよい。なお、図２においては外枠裏側に配置された電池の図示を省略している。外枠開口３の縁部には戴置板４を固定する係止部７が設けられている。
【００３６】
戴置板４は所定の光透過率及び光拡散率を有するガラスやプラスチックからなる光拡散板で形成されている。戴置板４の周縁部には、外枠開口３の縁部に設けられた係止部７に対応して係止突起８が設けられており、係止部７に係止突起８をはめ込むことにより、外枠開口３に戴置板４を固定する。戴置板４は照明付き飾り台１において、人形等の戴置物が戴置される戴置面であり、さらに照射面ともなることから、光源装置５から出射する光をより均一にするために光源装置５との間に所定の間隙Ｇ（図４参照）を設けて設置されることが好ましい。また、戴置物を戴置した際に戴置板４が変形して光源装置５に接触したり、間隙Ｇの大きさが変化したりしないように、想定される戴置物の重量に応じて、変形しない程度の強度を有するものを用いる。
【００３７】
外枠２の内部には、点光源９を光源とする光源装置５が外枠開口３側を光照射面として配置されている。以下、図２及び図４を参照して光源装置５の構造を説明する。
【００３８】
光源装置５は、点光源９と、点光源９を内部に有するケーシング１０と、点光源９に対向してケーシング１０の開口を覆う光導通反射板１１を有している。
【００３９】
点光源９は、単数または一群のＬＥＤまたはＬＤからなり、一群のＬＥＤまたはＬＤは、単色のものまたは複数の異なる色のものを含む。複数の異なる色からなる一群のＬＥＤを用いると、一つの光源装置において異なる光色を切り替えて出射することができ、照明付き飾り台の戴置物への装飾効果を高めることができる。点光源９は図示を省略する配線基板に配設されており、さらに制御装置及び電源に電気的に接続されている。
【００４０】
ケーシング１０は、ケーシング開口１２を有し、点光源９が設置される底部１３と、底部１３の周縁から所定の高さで立設された側壁部１４からなる。底部１３は外枠開口３と相似形状をなし、例えば本実施形態では円形に形成されている。底部１３の中央には、点光源９を設置するための装着孔１５が設けられ、装着孔１５から点光源９のみがケーシング１０の内部に突出している。
【００４１】
側壁部１４は底部１３の周縁から垂直に立設されているが、後述する第２の実施形態のように、外方に所定の角度をもって立設されてもよい。側壁部１４の上端には、光導通反射板１１を固定するための係止爪１６が設けられている。ケーシング１０は、高い光反射率を有する超微細発泡光反射部材等の材料で形成されており、ケーシング１０の内壁面において点光源９からの光を高い光反射率で反射し、効率よく利用することができるようになっている。
【００４２】
光導通反射板１１は、ケーシング開口１２の縁部である側壁部１４の上端に固定されている。光導通反射板１１の周縁部には、係止爪１６に対応する箇所に係止孔１７が設けられており、係止孔１７に係止爪１６を係止することによって、光導通反射板１１がケーシング１０に固定される。
【００４３】
本実施形態においては、光導通反射板１１は、高い光反射率と低い光透過率を有する超微細発泡光反射部材等の材料で形成される。これにより、点光源９からの光を高い光反射率で内部に反射して効率よく利用することができ、また点光源９の真上部分においても一定の光が透過するので、点光源９の真上部分が暗くなりすぎることがない。また、超微細発泡光反射部材は軽量であるため、照明付き飾り台１および光源装置５を大型化しても、重量を抑えることができる。さらに、超微細発泡光反射部材は容易に入手可能であり、穴あけ等の加工が容易でかつ比較的安価であることから、製造コストを抑えることができる。
【００４４】
この光導通反射板１１は、図３に示すように、点光源９の直上部に中央光導通反射部１８、中央光導通反射部１８の外周囲に外方光導通反射部１９が設けられている。中央光導通反射部１８の中央部、すなわち点光源９の直上部分には中央部１８ａが設けられている。中央部１８ａは高光反射率に形成されており、点光源９から放射される強い光を反射し、さらにその反射光がケーシング１０の内壁面及び光導通反射板１１によって多重反射するようになっている。中央部１８ａの光反射率は、光学反射板材の選択、この材料の加工（例えばハーフ溝の形成、板厚の調整）によって適宜設定され、これによって、光を効率よく利用することができるようになる。中央部１８ａの周辺すなわち外方光導通反射部１９との境界部に周辺部１８ｂが設けられている。周辺部１８ｂには小孔が設けられ、中央部１８ａに次いで光反射率を高くする一方で、一部の光を透過させるように設計されている。なお、この小孔はスリット、細溝などに代えてもよい。
【００４５】
外方光導通反射部１９には、円形の導通孔１９ａが所定間隔で形成されている。導通孔１９ａの大きさは前記中央光導通反射部から外方へ離れるにしたがって徐々に大きくなる。なお、この導通孔１９ａは円形、三角形や四角形、星形など、種々の形状をとることができる。また、導通孔１９ａの代わりに、同心状の環状ないし方形状のスリットを設け、中央光導通反射部１８から外方へ離れるほどその幅長が増加するようにしてもよい。
【００４６】
なお、透明板などの光導通部材に、印刷や蒸着等により反射部を設けたフィルムを貼付することによって光導通反射板を形成してもよい。このとき、中央光導通反射部の周辺部及び外方光導通反射部には、導通孔及びスリットの代わりに反射ドットを設け、光反射率及び光透過率を適切な値に設定する。反射ドットのパターンは、前記導通孔のパターンと同様のものの他、任意のパターンをとることができる。また、反射ドットの形状は前記導通孔と同様に、円形や方形、その他の形状を取ることが可能である。
【００４７】
印刷や蒸着等によって光導通反射板を形成すると、既存の設備を利用することができ、また光導通反射板の量産が容易になることから、光導通反射板を大量に生産する際の費用を抑えることができる。
【００４８】
本実施形態の照明付き飾り台を使用する際には、戴置物を戴置部である戴置板４上に戴置する際に、手動で点灯状態のＯＮ、ＯＦＦの切り替えを行う場合と、戴置物を戴置板４上に載置した場合に自動的にスイッチが入るようにする場合の何れをも採用することができる。
【００４９】
戴置物を戴置板４上に戴置した場合に自動的にスイッチが入るように電気的に制御する場合には、以下の方法を採用し得る。まず、戴置板４の裏側に透明材料で形成された公知の薄膜形ひずみ検出用抵抗を形成することにより、電気的に自動的に点光源の点灯状態のＯＮ，ＯＦＦの切り替えを行うことができる。戴置板４の裏側に透明材料で形成された公知の薄膜形ひずみ検出用抵抗を形成することにより、光拡散板の光透過性能を低下させることなく、戴置板４のひずみを検出することができるようになる。戴置物が戴置板４上に戴置された場合には、ひずみが検出されるので、点光源が点灯状態となるよう制御し、戴置物が戴置板４上から除去されると、ひずみが検出されなくなるので、点光源の点灯状態を解除するように制御すればよい。
【００５０】
また、戴置板４と光導通反射板１１との間に公知の容量変化検出用透明電極を形成することによっても、戴置板４に戴置物が戴置されたことを静電容量の変化により検出することができるので、同様に点光源の点灯状態のＯＮ，ＯＦＦの切り替えを自動的に行うことができるようになる。
【００５１】
さらに、外枠２の表面に公知の散乱光検出器を形成することにより、戴置物が戴置された状態と戴置されていない状態とでの散乱光強度の差を検出し、同様に点光源の点灯状態のＯＮ，ＯＦＦの切り替えを自動的に行うことができるようになる。
【００５２】
［第２の実施形態］
次に、本発明の第２の実施形態に係る照明付き飾り台について、図５を参照して説明する。なお、図５Ａは本発明の第２の実施形態に係る照明付き飾り台の斜視図であり、図５Ｂは図５ＡのＶＢ−ＶＢ線における断面図である。
【００５３】
本発明の第２の実施形態に係る照明付き飾り台においては、第１の実施形態に係る照明付き飾り台と光源装置の形状及び電池の位置が異なるのみで基本的な構造は第１の実施形態に係る照明付き飾り台と同じであり、共通する部分については同一の参照符号を付与して説明を省略し、異なる部分について説明する。
【００５４】
本実施形態の照明付き飾り台１Ａにおいては、光源装置５Ａの形状は外枠２Ａの開口の形状に合わせ、平面視で正方形となっている。さらに、光源装置５Ａのケーシング１０Ａにおいては、側壁部１４Ａが底部１３Ａに対して外方に所定角度傾いて立設されている。これにより、点光源９からの出射光を光導通反射板１１に対してより効率よく反射させることができ、また光導通反射板１１の周辺部から出射する光が多くなる。さらに、光導通反射板の面積に比べて底部の面積が小さくなり、外枠２Ａとケーシング側壁部１４Ａの底部側の間に間隙ができる。本実施形態においては、この間隙に電池６を配設することにより、照明付き飾り台１Ａをさらに薄型にすることができる。
【００５５】
［第３の実施形態］
次に、本発明の第３の実施形態に係る照明付き飾り台について、図６を参照して説明する。なお、図６Ａは本発明の第３の実施形態に係る照明付き飾り台の斜視図、図６Ｂは図６Ｂの照明付き飾り台のVIＢ−VIＢ線における断面図である。
【００５６】
本発明の第３の実施形態に係る照明付き飾り台は、第１の実施形態に係る照明付き飾り台と一部の構成が異なるが、その他の構成は共通であるので、重複する部分の説明は省略し、異なる部分について説明する。
【００５７】
本発明の第３の実施形態に係る照明付き飾り台１Ｂにおいては、直方体状の外枠２Ｂの内部に光源装置５Ｂが収容される点は第１の実施形態と同様であるが、外枠２Ｂはその上方がすべて開口となっており、その内部に光源装置５Ｂが隙間なく収容されている。また、戴置板４Ｂは外枠２Ｂの開口部を覆うように固定されているため、外枠２Ｂの上方は完全に戴置板４Ｂに覆われた形になり、照明付き飾り台１Ｂのほぼ全面が発光するように構成されている。さらに、外枠側壁２０は光透過性を有する拡散板で形成されており、このため光源装置５から出射した光が外枠側壁２０で遮られて戴置板４Ｂの周縁部において外枠側壁２０と接触する部分が暗くなることがない。このように、外枠側壁２０を光拡散板で形成することにより、光源装置から照射される光が外枠の上部を透過及び拡散することにより、照明付き飾り台の光照射面（戴置面）において、外枠と接する部分が暗くなることがない。これにより、照明付き飾り台の光照射面の全面が発光することが可能となる。なお、本実施形態の照明付き飾り台においては電源は外部電源となっており、図６においてはコネクタなどの記載が省略されているが、内部電源を用いても良い。
【００５８】
［第４の実施形態］
次に、本発明の第４の実施形態に係る照明付き飾り台について、図７を参照して説明する。なお、図７は本発明の第４の実施形態に係る照明付き飾り台の斜視図である。本発明の第４の実施形態に係る照明付き飾り台は、第２の実施形態の照明付き飾り台の外枠に、照明付き飾り台及び戴置物を覆うことのできる着脱可能なカバーが設けられた構成となっている。本実施形態の照明付き飾り台１Ｃは、光源装置５Ｃを収容し、開口が戴置板４で覆われた外枠２Ｃと、外枠の上方を覆うカバー２１からなる。カバー２１は下方に開口を有し、カバー側壁２３及び天井部２４からなる四角柱状の筒状体であり、内部には空間Ｓを有する。このカバー２１は透明な樹脂体で形成されており、戴置板に戴置された戴置物を空間Ｓに収容した状態で、戴置物を鑑賞することができるようになっている。カバー２１の開口は外枠２Ｃの上端よりやや小さく形成されている。また、外枠２Ｃの上端の角部には、カバー２１を外側から固定するための固定突起２５が設けられており、カバー２１は固定突起２５に側壁端部２６の角部が内接するように戴置される。カバー２１の側壁端部２６は固定突起２５によって固定され、左右にずれることがないが、カバー２１を外枠２Ｃから取り外す際には持ち上げるだけでよい。なお、カバーの形状は四角柱状の他、円筒状やその他多角柱状のものでもよく、外枠及び外枠開口の形状に応じて変更される。
【００５９】
このように、外枠２Ｃにカバー２１を設けることにより、戴置板及びそこに戴置される戴置物に埃などが付着することを防ぐことができる。なお、本実施形態においては、カバーを着けた状態で照明のＯＮ、ＯＦＦができるように、照明用のスイッチは外枠側壁などのカバーで覆われない部分に設けることが好ましい。
【００６０】
［第５の実施形態］
次に、本発明の第５の実施形態に係る照明付き飾り台について、図８を参照して説明する。なお、図８は本発明の第５の実施形態に係る照明付き飾り台の斜視図である。本発明の第５の実施形態に係る照明付き飾り台は、第４の実施形態の照明付き飾り台のカバーの天井部分に、第１の実施形態の照明付き飾り台に用いられているものと同様の光源装置と、光源装置を内部に収容する外枠及び拡散板が設けられた構成となっている。
【００６１】
第５の実施形態に係る照明付き飾り台１Ｄにおいては、第１の光源装置５Ｄが外枠２Ｄに収容されており、光出射面には戴置板４が設けられている。外枠２Ｄの上部には第４の実施形態同様にカバー２１Ｄが設けられており、このカバー２１Ｄは上方及び下方が開口し、カバー側壁２３Ｄを有する四角柱状の筒状体となっている。カバー２１Ｄの上方には、下方が開口し、側壁２８及び天井部２９を有する上部外枠２７が設けられており、上部外枠２７の内部には第２の光源装置３０が収容され、上部外枠２７の開口には光拡散板３１が設けられている。
【００６２】
この第２の光源装置５Ｅは、第１の光源装置５Ｄと同様に、点光源９と、点光源を内部に有するケーシング１０と、点光源９に対向してケーシング１０の開口を覆う光導通反射板１１を有している。それぞれの構成も第１の光源装置５Ｄと同じであるが、ケーシング１０の開口が下向きであり、点光源９がケーシング１０の天井に当たる部分に配置されている点が異なる。すなわち、第２の光源装置５Ｅの光出射面は第１の光源装置の光出射面と対向することとなる。上部外枠２７の開口には光拡散板３１が固定されており、第２の光源装置５Ｅからの光を下方へ拡散して照射する。このようにカバーの上部にも光源装置を設けることにより、戴置物を戴置面のみならずその上方からも照明することができ、より戴置物への照明効果を高めることができる。
【符号の説明】
【００６３】
１、１Ａ、１Ｂ、１Ｃ、１Ｄ…照明付き飾り台
２、２Ａ、２Ｂ、２Ｃ、２Ｄ…外枠
３…外枠開口
４、４Ｂ、４Ｃ…戴置板
５、５Ａ、５Ｃ、５Ｄ、５Ｅ…光源装置
６…電池
９…点光源
１０、１０Ａ…ケーシング
１１…光導通反射板
１８…中央光導通反射部
１９…外方光導通反射部
２０…外枠側壁
２１、２１Ｄ…カバー
【図１】
2012230793.tif 000003
【図２】
2012230793.tif 000004
【図３】
2012230793.tif 000005
【図４】
2012230793.tif 000006
【図５】
2012230793.tif 000007
【図６】
2012230793.tif 000008
【図７】
2012230793.tif 000009
【図８】
2012230793.tif 000010